(57)【特許請求の範囲】
【請求項１】
操作部（１）には、その本体（１ａ）の筒体（２）の基端部にある第一指掛け体（４）と、この本体（１ａ）の筒体（２）に対し移動可能に支持した第二指掛け体（５）とを備え、
この第二指掛け体（５）には本体（１ａ）の筒体（２）を通る連動索（２１）内のワイヤ索（２２，２３）の基端部を連結するワイヤ受け部（１９）を設け、
内視鏡を介して体内に挿入される前記連動索（２１）の先端部に設けた処置部（２５）を前記第二指掛け体（５）の移動によりワイヤ索（２２，２３）を介して遠隔操作して作動させる内視鏡用処置具において、
前記第二指掛け体（５）の内側の摺動孔（２０）には前記ワイヤ受け部（１９）を挟んで挿通孔（２０ａ）を形成し、その挿通孔（２０ａ）に前記本体（１ａ）の筒体（２）を挿通してこのワイヤ受け部（１９）をこの本体（１ａ）の筒体（２）内に設け、
前記ワイヤ受け部（１９）にあっては、前記ワイヤ索（２２，２３）の基端部が挿通される止め孔（２７）と、このワイヤ索（２２，２３）の基端部が挿入される押圧孔（２８）とを連動索延設方向（Ｐ）に沿って延設して互いに連通し、この押圧孔（２８）と止め孔（２７）との間の境部分にある押圧孔（２８）の段差状内底部には、止め孔（２７）のワイヤ挿通中心線（２７ａ）に対し偏心した位置で、ワイヤ押圧面（３０）を押圧孔（２８）側から止め孔（２７）側に向かうに従い止め孔（２７）のワイヤ挿通中心線（２７ａ）に接近するように傾斜して設けるとともに、前記本体（１ａ）の筒体（２）内で押圧孔（２８）に挿着される押圧体（３１）には、この押圧孔（２８）のワイヤ押圧面（３０）との間で鈍角のく形状に折り曲げられたワイヤ索（２２，２３）の基端折曲部（３４）を挟持するワイヤ押圧面（３３）を設けた
ことを特徴とする内視鏡用処置具における遠隔操作部のワイヤ連結構造。
【発明の詳細な説明】
【０００１】
【産業上の利用分野】
この発明は、手術や医療検査などに用いられる内視鏡用処置具において、その遠隔操作部のワイヤ受け部にワイヤ索を連結する構造に関するものである。
【０００２】
【従来の技術】
実開平５ー１３４０９号公報に示す従来のものの類似品として図６に示す内視鏡用処置具において、操作部１は、一体成形された筒体２と、この筒体２の基端部に対し回動可能に支持された第一指掛け体４と、この筒体２に対し移動可能に支持された第二指掛け体５とを備えている。この第二指掛け体５は本体５ａとワイヤ受け部１９とからなり、このワイヤ受け部１９が一対の雄ねじ部品１９ａ，１９ｂに分割されている。この第二指掛け体５を筒体２に組付ける場合には、本体５ａを筒体２の外周に挿嵌するとともに、両雄ねじ部品１９ａ，１９ｂを筒体２の切込み９に挿入して互いに合体させ、この両雄ねじ部品１９ａ，１９ｂ（ワイヤ受け部１９）に本体５ａを螺合する。前記両雄ねじ部品１９ａ，１９ｂを合体させるとき、筒体２を通る連動索２１内のワイヤ２２の基端折曲部３４（実際にはワイヤの外周に保護パイプを挿嵌したもの）をこのワイヤ受け部１９に連結する。そして、この第二指掛け体５の移動により処置部としてのカッター２５が遠隔操作されるようになっている。
【０００３】
【発明が解決しようとする課題】
従来のワイヤ連結構造では、図６に示すように（詳細は前記公報の図２，５を参照）、前記ワイヤ２２の基端折曲部３４がＵ状に折り曲げられて両雄ねじ部品１９ａ，１９ｂ内に収容され、このＵ状基端折曲部３４のく形状部分が両雄ねじ部品１９ａ，１９ｂに係止されて抜けないようになっている。
【０００４】
ところが、この基端折曲部３４が両雄ねじ部品１９ａ，１９ｂ間から不用意に抜けないように確実に係止するには、基端折曲部３４を充分に折り曲げて例えばＵ状に成形しなければならず、その成形作業やワイヤ連結作業が大変に面倒であった。
【０００５】
本発明はワイヤ連結構造を改良してにワイヤの基端折曲部の成形作業とワイヤ連結作業とを容易にすることを目的としている。
【０００６】
【課題を解決するための手段】
後記する実施例の図面に示すように、本発明にかかる内視鏡用処置具は下記のように構成されている。
この内視鏡用処置具において、操作部（１）には、その本体（１ａ）の筒体（２）の基端部にある第一指掛け体（４）と、この本体（１ａ）の筒体（２）に対し移動可能に支持された第二指掛け体（５）とを備えている。この第二指掛け体（５）にワイヤ受け部（１９）が設けられ、本体（１ａ）の筒体（２）を通る連動索（２１）内のワイヤ索（２２，２３）の基端部がこのワイヤ受け部（１９）に連結されている。そして、内視鏡を介して体内に挿入される前記連動索（２１）の先端部に設けられた処置部（２５）が、前記第二指掛け体（５）の移動によりワイヤ索（２２，２３）を介して遠隔操作されて作動されるようになっている。
【０００７】
前記第二指掛け体（５）の内側の摺動孔（２０）には前記ワイヤ受け部（１９）を挟んで挿通孔（２０ａ）が形成され、その挿通孔（２０ａ）に前記本体（１ａ）の筒体（２）が挿通されてこのワイヤ受け部（１９）がこの本体（１ａ）の筒体（２）内に設けられている。
前記ワイヤ受け部（１９）にあっては、前記ワイヤ索（２２，２３）の基端部が挿通される止め孔（２７）と、このワイヤ索（２２，２３）の基端部が挿入される押圧孔（２８）とが連動索延設方向（Ｐ）に沿って延設されて互いに連通されている。
【０００８】
前記止め孔（２７）のワイヤ挿通中心線（２７ａ）に対し偏心した位置で前記押圧部（２８）にワイヤ押圧面（３０）が設けられている。前記押圧体（３１）にワイヤ押圧面（３３）が設けられ、このワイヤ押圧面（３３）と前記押圧部（２８）のワイヤ押圧面（３０）との間でワイヤ索（２２，２３）の基端折曲部（３４）が挟持されるようになっている。
前記押圧孔（２８）と止め孔（２７）との間の境部分にある押圧孔（２８）の段差状内底部には、止め孔（２７）のワイヤ挿通中心線（２７ａ）に対し偏心した位置で、ワイヤ押圧面（３０）が押圧孔（２８）側から止め孔（２７）側に向かうに従い止め孔（２７）のワイヤ挿通中心線（２７ａ）に接近するように傾斜して設けられている。前記本体（１ａ）の筒体（２）内で押圧孔（２８）に挿着される押圧体（３１）には、この押圧孔（２８）のワイヤ押圧面（３０）との間で鈍角のく形状に折り曲げられたワイヤ索（２２，２３）の基端折曲部（３４）を挟持するワイヤ押圧面（３３）が設けられている。
【０００９】
【作用】
本発明においては、ワイヤ索（２２，２３）の基端部を止め孔（２７）に挿通して基端折曲部（３４）を押圧体（３１）により圧接するだけで、基端折曲部（３４）が押圧孔（２８）のワイヤ押圧面（３０）と押圧体（３１）のワイヤ押圧面（３３）との間で挟持され、ワイヤ索（２２，２３）がワイヤ受け部（１９）に連結できる。
【００１０】
【実施例】
以下、本発明の一実施例にかかる内視鏡用処置具を図１〜４を参照して説明する。
【００１１】
図１，２に示すように、操作部１は、筒体２と口体３とからなる本体１ａと、第一指掛け体４と、第二指掛け体５とを備え、互いに分離されて成形されている。
【００１２】
前記筒体２は二分割された割り筒６からなり、両割り筒６がプラスチックにより一体成形され、互いに重合されて円筒状をなす。その重合状態では、筒体２の先端部外周と基端部外周とにそれぞれ嵌着部７，８が形成され、この外周先端部側から外周基端部側にわたり筒体２の割り筒６間で切込み９が延設され、前記基端部側の嵌着部８の内側で筒体２内に周溝１０（回動案内部）が形成されている。この両切込み９の基端部側が筒体２の延設方向へ開放されて開放部９ａになっっている。
【００１３】
前記口体３はプラスチックにより一体成形されて円筒状をなし、その先端部内周に挿入孔１１が形成され、その基端部内周に嵌着孔１２が形成されている。この嵌着孔１２に前記筒体２の先端部外周の嵌着部７が挿嵌され、この口体３により筒体２の先端部が互いに分離しないように支えられている。
【００１４】
前記第一指掛け体４は円筒状の尻体１３と指掛け環１４とからなり、それぞれ互いに分離されてプラスチックにより一体成形されている。この尻体１３は前記筒体２の基端部外周の嵌着部８に挿嵌され、この尻体１３により筒体２の基端部が互いに分離しないように支えられている。この指掛け環１４は頭環１５と首軸１６とからなり、この首軸１６の外周に周突条１７（回動案内部）が形成されている。この首軸１６の周突条１７が前記筒体２の基端部内側の周溝１０に挿嵌され、指掛け環１４が尻体１３及び筒体２の嵌着部８に対し筒体２の延設方向回りで回動可能に支持されている。
【００１５】
図３にも示す前記第二指掛け体５はプラスチックにより一体成形されて円筒状をなす。この第二指掛け体５においては、その外周に指掛け溝１８が形成され、その内側の摺動孔２０の下半部にワイヤ受け部１９が橋状に架設されているとともに、このワイヤ受け部１９を挟んで摺動孔２０に挿通孔２０ａが形成されている。この両挿通孔２０ａに前記筒体２の両割り筒６が挿通されて摺動孔２０の内周面が筒体２の外周面に摺接し、この第二指掛け体５が筒体２に対しその延設方向へ移動可能に支持されている。
【００１６】
連動策２１は、内視鏡（図示せず）を介して体内に挿入されるものであって、ワイヤ２２と保護パイプ２３と保護コイル２４とカッター２５（処置部）とからなる。前記筒体２内でワイヤ２２の基端部が保護パイプ２３内に挿入されて半田付けされ、このワイヤ２２及び保護パイプ２３（ワイヤ索）が後述のワイヤ連結構造のもとで前記第二指掛け体５のワイヤ受け部１９に連結されている。前記保護コイル２４はこのワイヤ２２及び保護パイプ２３の外周に巻装され、この保護コイル２４の基端部が前記口体３内で半田付けされて挿入孔１１から引き出されている。この保護コイル２４の先端部に一対の小アーム２６が設けられ、この両小アーム２６間に前記カッター２５が取り付けられている。このカッター２５は前記ワイヤ２２の先端部に接続され、両小アーム２６上の支軸２６ａを中心に開閉するようになっている。
【００１７】
特に、前記第二指掛け体５のワイヤ受け部１９においては、図３，４に示すように、下記のワイヤ連結構造を採用している。
このワイヤ受け部１９の下半部に止め孔２７が連動索延設方向Ｐ（前記筒体延設方向）に沿って延設されているとともに、その上半部にはこの止め孔２７よりも大径の押圧孔２８（押圧部）が連動索延設方向Ｐに沿って延設され、この止め孔２７と押圧孔２８とが連通してそれらの中心線２７ａ，２８ａが互いに一致している。この押圧孔２８の内周に雌ねじ２９が形成されている。この押圧孔２８の下端部と止め孔２７の上端部との間の境部分にある押圧孔２８の段差状内底部上は、押圧孔２８側から止め孔２７側に向かうに従い前記中心線２７ａ，２８ａに接近するように傾斜して円錐状になっている。この押圧孔２８の段差状内底部上にはこの中心線２７ａ，２８ａに対し偏心した位置で浅い溝状のワイヤ押圧面３０が中心線２７ａ，２８ａから半径方向へ延びるように設けられている。押圧体３１は頭部と軸部とを有する小ねじであって、その軸部の外周に雄ねじ３２が形成され、その軸部の下端面であるワイヤ押圧面３３が頭部側から軸部側に向かうに従い中心線３１ａに接近するように傾斜して円錐状になっている。このワイヤ押圧面３３の傾斜角度は前記押圧孔２８のワイヤ押圧面３０の傾斜角度とほぼ一致している。
【００１８】
前記ワイヤ２２の基端部を挿入した保護パイプ２３においては、図３の状態から止め孔２７に挿通された後さらに押圧孔２８に挿入され、図４（ａ）に示すように前記ワイヤ押圧面３０，３３の傾斜角度に合わせて治具などによりワイヤ２２とともに折り曲げられて基端折曲部３４が形成される。この基端折曲部３４は鈍角のく形状に若干折り曲げられているだけである。そして、図４（ｂ）に示すように、この基端折曲部３４が押圧孔２８のワイヤ押圧面３０上に当てがわれ、このワイヤ押圧面３０上から露出する。この押圧孔２８には押圧体３１が挿入されて螺着され、この押圧体３１のワイヤ押圧面３３と押圧孔２８のワイヤ押圧面３０との間で前記保護パイプ２３の基端折曲部３４が挟持される。従って、ワイヤ２２及び保護パイプ２３（ワイヤ索）が不用意に抜け落ちない。
【００１９】
前記第一指掛け体４の指掛け環１４と第二指掛け体５の指掛け溝１８とに指を掛けて第二指掛け体５を筒体２内の連動索延設方向Ｐへ往復移動させると、ワイヤ２２を介してカッター２５が開閉する。
【００２０】
本実施例は下記（イ）〜（ヘ）に特徴を有する。
（イ）  保護パイプ２３の基端折曲部３４が押圧孔２８のワイヤ押圧面３０と押圧体３１のワイヤ押圧面３３との間で挟持されて圧接されるので、この基端折曲部３４を鈍角のく形状に若干折り曲げるだけで、保護パイプ２３の不用意な抜け落ちを確実に防止することができる。従って、基端折曲部３４の成形作業が行い易くなる。
【００２１】
（ロ）  保護パイプ２３の基端折曲部３４が止め孔２７のワイヤ挿通中心線２７ａに対する偏心位置で挟持されるので、この基端折曲部３４を鈍角のく形状に若干折り曲げるだけで、確実に圧接されて保護パイプ２３の不用意な抜け落ちを防止することができる。従って、基端折曲部３４の成形作業が行い易くなる。
【００２２】
（ハ）  保護パイプ２３を止め孔２７に挿通して基端折曲部３４を押圧体３１により圧接するだけでワイヤ受け部１９に連結できるので、ワイヤ連結作業を容易に行うことができる。
【００２３】
（ニ）  保護パイプ２３が止め孔２７に挿通されるので、保護パイプ２３を安定させてその不用意な抜け落ちを確実に防止することができる。
（ホ）  押圧孔２８と押圧体３１との挿着に雌雄ねじ２９，３２を利用したので、保護パイプ２３の基端折曲部３４に対する圧接を確実に維持することができる。
【００２４】
（ヘ）  第二指掛け体５を筒体２に組付ける場合、筒体２の両割り筒６をそれぞれその基端部側から第二指掛け体５の両挿通孔２０ａに挿入して、この両割り筒６間の切込み９にその基端部側開放部９ａから第二指掛け体５のワイヤ受け部１９を挿入するだけでよいので、その組付けを容易に行うことができる。
【００２５】
前記実施例以外にも下記（イ）〜（ロ）のように構成してもよい。
（イ）  図５に示すように、前記第二指掛け体５の押圧体３１として、小ねじに代え、頭部と軸部とを有する偏心ピンを利用する。この押圧体３１の軸部の下端面であるワイヤ押圧面３３が頭部側から軸部側に向かうに従い中心線３１ａに接近するように傾斜して円錐状になっている点は前記実施例と同様であるが、この円錐の頂点３３ａが中心線３１ａに対し偏心している。この押圧体３１が挿着される押圧孔２８の段差状内底部上も押圧体３１の円錐形状に合わせて偏心円錐形状になっている。図５（ａ）に示すように保護パイプ２３の基端部を止め孔２７から押圧孔２８に挿入し、図５（ｂ）に示すように押圧体３１をこの押圧孔２８に挿着すると、保護パイプ２３の基端部がこの押圧体３１の偏心ワイヤ押圧面３３により押圧されてく形状に折り曲げられ、その基端折曲部３４が押圧孔２８のワイヤ押圧面３０と押圧体３１のワイヤ押圧面３３との間で挟持されて圧接される。
【００２７】
【発明の効果】
本発明にかかる内視鏡用処置具によれば、若干折り曲げたワイヤ索（２２，２３）の基端折曲部（３４）を押圧体（３１）により挟持するだけで、ワイヤ索（２２，２３）の不用意な抜け落ちを防止でき、この基端折曲部（３４）の成形作業を行い易くなるとともに、ワイヤ連結作業も容易に行うことができる。
【図面の簡単な説明】
【図１】  本実施例にかかる内視鏡用処置具を示す分解斜視図である。
【図２】  （ａ）は図１の内視鏡用処置具を示す組付け正面図であり、（ｂ）は（ａ）の断面図である。
【図３】  （ａ）は図１の第二指掛け体とそれから分離したワイヤ索及び押圧体を示す拡大断面図であり、（ｂ）は（ａ）のＸーＸ線断面図である。
【図４】  （ａ）は図３（ａ）の状態からワイヤ索を第二指掛け体に挿入した状態を示す拡大断面図であり、（ｂ）は（ａ）の状態から押圧体を第二指掛け体に螺着してワイヤ索を連結した状態を示す拡大断面図である。
【図５】  （ａ）は他の実施例にかかる前記図４（ａ）相当図であり、（ｂ）は同じく前記図４（ｂ）相当図である。
【図６】  （ａ）は従来の内視鏡用処置具を示す平面図であり、（ｂ）は（ａ）のＹーＹ線部分断面図である。
【符号の説明】
１…操作部、１ａ…本体、２…筒体、３…口体、４…第一指掛け体、５…第二指掛け体、１３…尻体、１４…指掛け環、１９…ワイヤ受け部、２１…連動索、２２…ワイヤ（ワイヤ索）、２３…保護パイプ（ワイヤ索）、２５…処置部としてのカッター、２７…止め孔、２７ａ…中心線、２８…押圧孔（押圧部）、２８ａ…中心線、２９…雌ねじ、３０…ワイヤ押圧面、３１…押圧体、３１ａ…中心線、３２…雄ねじ、３３…ワイヤ押圧面、３４…基端折曲部、Ｐ…連動索延設方向。
【図１】
0003669732.tif 000002
【図２】
0003669732.tif 000003
【図３】
0003669732.tif 000004
【図４】
0003669732.tif 000005
【図５】
0003669732.tif 000006
【図６】
0003669732.tif 000007